(57)【要約】【課題】第一コンデンサの寄生インダクタンスと第二コンデンサの寄生インダクタンスとが等価である積層型ＬＣフィルタアレイを提供する。【解決手段】積層型ＬＣフィルタアレイＦＡ１は、インダクタＬ１とコンデンサＣ１とを含んでいるフィルタＦ１と、インダクタＬ２とコンデンサＣ２とを含んでいるフィルタＦ２とを備えている。端子電極１１，１２には、インダクタＬ１が接続されている。端子電極１３，１４には、インダクタＬ２が接続されている。端子電極１５には、コンデンサＣ１とコンデンサＣ２とが接続されている。端子電極１５は、素体１の第一主面１ａの中央に配置されている。端子電極１１，１２，１３，１４は、第一主面１ａに直交する方向から見て、素体１の異なる角部に配置されている。【選択図】図２
2018064204.tif 000002
【特許請求の範囲】
【請求項１】
複数の絶縁体層が積層されており、直方体形状を呈している素体と、
前記素体内に配置されている第一インダクタと第一コンデンサとを含んでいる第一フィルタと、
前記素体内に配置されている第二インダクタと第二コンデンサとを含んでいる第二フィルタと、
前記第一インダクタが接続されている第一入力端子電極及び第一出力端子電極と、
前記第二インダクタが接続されている第二入力端子電極及び第二出力端子電極と、
前記第一コンデンサと前記第二コンデンサとが接続されているグラウンド端子電極と、を備え、
前記素体は、前記複数の絶縁体層が積層されている方向で対向する一対の主面を有し、
前記グラウンド端子電極は、一方の前記主面の中央に配置されており、
前記第一入力端子電極、前記第一出力端子電極、前記第二入力端子電極、及び前記第二出力端子電極は、前記一方の主面に直交する方向から見て、前記素体の異なる角部に配置されている、積層型ＬＣフィルタアレイ。
【請求項２】
前記第一入力端子電極、前記第一出力端子電極、前記第二入力端子電極、及び前記第二出力端子電極は、前記一方の主面に配置されている第一電極部分を有しており、
前記グラウンド端子電極の面積は、各前記電極部分の面積よりも大きい、請求項１に記載の積層型ＬＣフィルタアレイ。
【請求項３】
前記第一入力端子電極、前記第一出力端子電極、前記第二入力端子電極、及び前記第二出力端子電極は、前記一方の主面のみに配置されており、
前記第一入力端子電極、前記第一出力端子電極、前記第二入力端子電極、及び前記第二出力端子電極は、対応する前記第一及び第二インダクタ並びに前記第一及び第二コンデンサとスルーホール導体を介して接続されている、請求項１又は２に記載の積層型ＬＣフィルタアレイ。
【請求項４】
前記素体は、四つの側面を更に有し、
前記第一入力端子電極、前記第一出力端子電極、前記第二入力端子電極、及び前記第二出力端子電極は、対応する前記側面に配置されている第二電極部分を更に有し、
前記第二電極部分は、絶縁体で覆われている、請求項１又は２に記載の積層型ＬＣフィルタアレイ。
【請求項５】
前記第一フィルタは、第三コンデンサを更に含み、
前記第二フィルタは、第四コンデンサを更に含み、
前記第一コンデンサが前記第一入力端子電極と接続されていると共に、前記第三コンデンサが前記第一出力端子電極と接続されており、
前記第二コンデンサが前記第二入力端子電極と接続されていると共に、前記第四コンデンサが前記第二出力端子電極と接続されている、請求項１〜４のいずれか一項に記載の積層型ＬＣフィルタアレイ。
【発明の詳細な説明】
【技術分野】
【０００１】
本発明は、積層型ＬＣフィルタアレイに関する。
【背景技術】
【０００２】
複数の絶縁体層が積層されており、直方体形状を呈している素体と、素体内に配置されている第一インダクタと第一コンデンサとを含んでいる第一フィルタと、素体内に配置されている第二インダクタと第二コンデンサとを含んでいる第二フィルタと、第一インダクタが接続されている第一入力端子電極及び第一出力端子電極と、第二インダクタが接続されている第二入力端子電極及び第二出力端子電極と、第一コンデンサと第二コンデンサとが接続されているグラウンド端子電極と、を備えている積層型ＬＣフィルタアレイが知られている（たとえば、特許文献１参照）。
【先行技術文献】
【特許文献】
【０００３】
【特許文献１】特開２００５−２２９２１９号公報
【発明の概要】
【発明が解決しようとする課題】
【０００４】
本発明の一つの態様は、第一コンデンサの寄生インダクタンスと第二コンデンサの寄生インダクタンスとが等価である積層型ＬＣフィルタアレイを提供することを目的とする。
【課題を解決するための手段】
【０００５】
本発明の一つの態様に係る積層型ＬＣフィルタアレイは、複数の絶縁体層が積層されており、直方体形状を呈している素体と、素体内に配置されている第一インダクタと第一コンデンサとを含んでいる第一フィルタと、素体内に配置されている第二インダクタと第二コンデンサとを含んでいる第二フィルタと、第一インダクタが接続されている第一入力端子電極及び第一出力端子電極と、第二インダクタが接続されている第二入力端子電極及び第二出力端子電極と、第一コンデンサと第二コンデンサとが接続されているグラウンド端子電極と、を備え、素体は、複数の絶縁体層が積層されている方向で対向する一対の主面を有し、グラウンド端子電極は、一方の主面の中央に配置されており、第一入力端子電極、第一出力端子電極、第二入力端子電極、及び第二出力端子電極は、一方の主面に直交する方向から見て、素体の異なる角部に配置されている。
【０００６】
本発明の一つの態様に係る積層型ＬＣフィルタアレイでは、第一入力端子電極、第一出力端子電極、第二入力端子電極、及び第二出力端子電極が、一方の主面に直交する方向から見て、素体の異なる角部に配置されていると共に、グラウンド端子電極が、一方の主面の中央に配置されている。このため、第一入力端子電極、第一出力端子電極、第二入力端子電極、及び第二出力端子電極とグラウンド端子電極との距離が等価である。この結果、本態様に係る積層型ＬＣフィルタアレイでは、第一フィルタと第二フィルタとでグラウンド端子電極の共通化が図られていると共に、第一コンデンサの寄生インダクタンスと第二コンデンサの寄生インダクタンスとが等価である。
【０００７】
第一入力端子電極、第一出力端子電極、第二入力端子電極、及び第二出力端子電極は、一方の主面に配置されている第一電極部分を有しており、グラウンド端子電極の面積は、各電極部分の面積よりも大きくてもよい。この場合、グラウンド端子電極の面積が各電極部分の面積以下である構成に比して、積層型ＬＣフィルタアレイの実装強度が向上すると共に、積層型ＬＣフィルタアレイが実装される際の姿勢が安定する。
【０００８】
第一入力端子電極、第一出力端子電極、第二入力端子電極、及び第二出力端子電極は、一方の主面のみに配置されており、第一入力端子電極、第一出力端子電極、第二入力端子電極、及び第二出力端子電極は、対応する第一及び第二インダクタ並びに第一及び第二コンデンサとスルーホール導体を介して接続されていてもよい。この場合、第一入力端子電極、第一出力端子電極、第二入力端子電極、第二出力端子電極、及びグラウンド端子電極のすべてが一方の主面のみに配置されるので、各端子電極の形成が容易である。
【０００９】
素体は、四つの側面を更に有し、第一入力端子電極、第一出力端子電極、第二入力端子電極、及び第二出力端子電極は、対応する側面に配置されている第二電極部分を更に有し、第二電極部分は、絶縁体で覆われていてもよい。この場合、積層型ＬＣフィルタアレイがはんだ実装される際に、素体の側面側にはんだフィレットが形成され難い。このため、積層型ＬＣフィルタアレイは狭隣接高密度実装が可能となる。
【００１０】
第一フィルタは、第三コンデンサを更に含み、第二フィルタは、第四コンデンサを更に含み、第一コンデンサが第一入力端子電極と接続されていると共に、第三コンデンサが第一出力端子電極と接続されており、第二コンデンサが第二入力端子電極と接続されていると共に、第四コンデンサが第二出力端子電極と接続されていてもよい。この場合、第一フィルと第二フィルタとが、π型のＬＣフィルタを構成するので、π型のＬＣフィルタアレイが実現される。
【発明の効果】
【００１１】
本発明の一つの態様によれば、第一コンデンサの寄生インダクタンスと第二コンデンサの寄生インダクタンスとが等価である積層型ＬＣフィルタアレイを提供することができる。
【図面の簡単な説明】
【００１２】
【図１】第一実施形態に係る積層型ＬＣフィルタアレイを示す斜視図である。
【図２】第一実施形態に係る積層型ＬＣフィルタアレイの構成を示す分解斜視図である。
【図３】第一実施形態に係る積層型ＬＣフィルタアレイの等価回路を示す図である。
【図４】第一実施形態の変形例に係る積層型ＬＣフィルタアレイを示す斜視図である。
【図５】第二実施形態に係る積層型ＬＣフィルタアレイを示す斜視図である。
【図６】第二実施形態に係る積層型ＬＣフィルタアレイの構成を示す分解斜視図である。
【図７】第二実施形態に係る積層型ＬＣフィルタアレイの等価回路を示す図である。
【図８】第二実施形態の変形例に係る積層型ＬＣフィルタアレイの構成を示す分解斜視図である。
【図９】第二実施形態の別の変形例に係る積層型ＬＣフィルタアレイを示す斜視図である。
【図１０】更なる変形例に係る積層型ＬＣフィルタアレイを示す斜視図である。
【図１１】更なる変形例に係る積層型ＬＣフィルタアレイを示す斜視図である。
【図１２】更なる変形例に係る積層型ＬＣフィルタアレイを示す斜視図である。
【発明を実施するための形態】
【００１３】
以下、添付図面を参照して、本発明の実施形態について詳細に説明する。なお、説明において、同一要素又は同一機能を有する要素には、同一符号を用いることとし、重複する説明は省略する。
【００１４】
（第一実施形態）
図１〜図３を参照して、第一実施形態に係る積層型ＬＣフィルタアレイＦＡ１の構成を説明する。図１は、第一実施形態に係る積層型ＬＣフィルタアレイを示す斜視図である。図２は、第一実施形態に係る積層型ＬＣフィルタアレイの構成を示す分解斜視図である。図３は、第一実施形態に係る積層型ＬＣフィルタアレイの等価回路を示す図である。
【００１５】
積層型ＬＣフィルタアレイＦＡ１は、図１に示されるように、素体１と、素体１の外表面に配置されている端子電極１１，１２，１３，１４，１５と、を備えている。たとえば、端子電極１１，１３は入力端子電極として機能し、端子電極１２，１４は出力端子電極として機能し、端子電極１５は、グラウンド端子電極として機能する。
【００１６】
積層型ＬＣフィルタアレイＦＡ１は、端子電極１１，１２，１３，１４がそれぞれ信号ラインに接続され、かつ、端子電極１５が接地されるように、電子機器（たとえば、回路基板又は電子部品など）に実装される。積層型ＬＣフィルタアレイＦＡ１は、たとえば、電子機器にはんだ実装される。
【００１７】
素体１は、直方体形状を呈している。素体１は、その外表面として、互いに対向する第一主面１ａ及び第二主面１ｂと、互いに対向する第一側面１ｃ及び第二側面１ｄと、互いに対向する第三側面１ｅ及び第四側面１ｆと、を有している。第一主面１ａ及び第二主面１ｂは、矩形状を呈している。積層型ＬＣフィルタアレイＦＡ１では、第一主面１ａが、電子機器に対向する実装面とされる。直方体形状には、角部及び稜線部が面取りされている直方体の形状、及び、角部及び稜線部が丸められている直方体の形状が含まれる。
【００１８】
第一側面１ｃ及び第二側面１ｄは、第一主面１ａと第二主面１ｂとを連結するように、第一主面１ａと第二主面１ｂとが対向している第一方向Ｄ１に延在している。第一側面１ｃ及び第二側面１ｄは、第三側面１ｅと第四側面１ｆとが対向している方向にも延在している。第三側面１ｅ及び第四側面１ｆは、第一主面１ａと第二主面１ｂとを連結するように、第一方向Ｄ１に延在している。第三側面１ｅ及び第四側面１ｆは、第一側面１ｃと第二側面１ｄとが対向している方向にも延在している。第一方向Ｄ１は、第一主面１ａに直交する方向である。
【００１９】
素体１は、第一方向Ｄ１に複数の絶縁体層３，５が積層されて構成されている。素体１では、複数の絶縁体層３，５の積層方向が第一方向Ｄ１と一致している。実際の素体１では、各絶縁体層３，５は、各絶縁体層３，５の間の境界が視認できない程度に一体化されている。
【００２０】
絶縁体層３は、たとえば誘電体材料（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成されている。絶縁体層５は、たとえば磁性材料（Ｎｉ−Ｃｕ−Ｚｎ系フェライト材料、Ｎｉ−Ｃｕ−Ｚｎ−Ｍｇ系フェライト材料、又はＮｉ−Ｃｕ系フェライト材料など）を含むセラミックグリーンシートの焼結体から構成されている。絶縁体層５は、非磁性材料（Ｃｕ−Ｚｎ系フェライト材料、誘電体材料、又はガラスセラミック材料など）を含むセラミックグリーンシートの焼結体から構成されていてもよい。
【００２１】
端子電極１１，１２，１３，１４，１５は、第一主面１ａ上に配置されている。端子電極１１，１２，１３，１４，１５は、第一方向Ｄ１から見て、矩形状を呈している。端子電極１１，１２，１３，１４，１５は、導電材（たとえば、Ａｇ又はＰｄなど）を含んでいる。端子電極１１，１２，１３，１４，１５は、導電性材料（たとえば、Ａｇ粉末又はＰｄ粉末など）を含む導電性ペーストの焼結体として構成される。
【００２２】
端子電極１１は、第一方向Ｄ１から見て、第一側面１ｃと第三側面１ｅとで画成される角部に配置されている。端子電極１２は、第一方向Ｄ１から見て、第二側面１ｄと第三側面１ｅとで画成される角部に配置されている。端子電極１３は、第一方向Ｄ１から見て、第一側面１ｃと第四側面１ｆとで画成される角部に配置されている。端子電極１４は、第一方向Ｄ１から見て、第二側面１ｄと第四側面１ｆとで画成される角部に配置されている。したがって、端子電極１１，１２，１３，１４は、第一方向Ｄ１から見て、第一主面１ａの異なる角部、すなわち、素体１の異なる角部に配置されている。
【００２３】
端子電極１５は、第一方向Ｄ１から見て、第一主面１ａの中央に配置されている。すなわち、端子電極１５は、第一方向Ｄ１から見て、端子電極１１，１２，１３，１４よりも内側に位置している。端子電極１５の面積は、各端子電極１１，１２，１３，１４の面積よりも大きい。
【００２４】
端子電極１１，１２，１３，１４，１５の表面にはめっき層が形成されていてもよい。めっき層は、たとえば電気めっきにより形成される。めっき層は、Ｃｕめっき層、Ｎｉめっき層、及びＳｎめっき層からなる層構造、又は、Ｎｉめっき層及びＳｎめっき層からなる層構造などを有する。
【００２５】
積層型ＬＣフィルタアレイＦＡ１は、図２に示されるように、複数のコイル導体２１，２２，２３，２４を備えている。コイル導体２１，２２，２３，２４は、略環状を呈している。第一実施形態では、コイル導体２１，２２，２３，２４は、導体が矩形状に略一周巻かれた形状を呈している。コイル導体２１，２２，２３，２４は、導電材（たとえば、Ａｇ又はＰｄなど）を含んでいる。コイル導体２１，２２，２３，２４は、導電性材料（たとえば、Ａｇ粉末又はＰｄ粉末など）を含む導電性ペーストの焼結体として構成される。
【００２６】
コイル導体２１とコイル導体２２とは、第一方向Ｄ１において異なる位置（層）に配置されている。すなわち、コイル導体２１とコイル導体２２とは、少なくとも一層の絶縁体層５を介して、第一方向Ｄ１で離間している。コイル導体２２は、コイル導体２１よりも第二主面１ｂ側に位置している。コイル導体２１とコイル導体２２とは、第一方向Ｄ１から見て、互いに重なり合っている導体部分を有している。
【００２７】
コイル導体２１の一端とコイル導体２２の一端とは、スルーホール導体３１により接続されている。スルーホール導体３１は、コイル導体２１とコイル導体２２との間に位置する絶縁体層５を貫通している。コイル導体２１とコイル導体２２とは、スルーホール導体３１を通して、電気的に接続されている。コイル導体２１とコイル導体２２とは、図３に示されるように、インダクタＬ１を構成している。
【００２８】
コイル導体２３とコイル導体２４とは、第一方向Ｄ１において異なる位置（層）に配置されている。すなわち、コイル導体２３とコイル導体２４とは、少なくとも一層の絶縁体層５を介して、第一方向Ｄ１で離間している。コイル導体２４は、コイル導体２３よりも第二主面１ｂ側に位置している。コイル導体２３とコイル導体２４とは、第一方向Ｄ１から見て、互いに重なり合っている導体部分を有している。
【００２９】
コイル導体２１とコイル導体２３とは、第一方向Ｄ１において同じ位置（層）に配置されている。コイル導体２１とコイル導体２３とは、第三側面１ｅと第四側面１ｆとが対向している方向で離間している。コイル導体２１は、第三側面１ｅ寄りに位置し、コイル導体２３は、第四側面１ｆ寄りに位置している。
【００３０】
コイル導体２２とコイル導体２４とは、第一方向Ｄ１において同じ位置（層）に配置されている。コイル導体２２とコイル導体２４とは、第三側面１ｅと第四側面１ｆとが対向している方向で離間している。コイル導体２２は、第三側面１ｅ寄りに位置し、コイル導体２４は、第四側面１ｆ寄りに位置している。
【００３１】
コイル導体２３の一端とコイル導体２４の一端とは、スルーホール導体３２により接続されている。スルーホール導体３２は、コイル導体２３とコイル導体２４との間に位置する絶縁体層５を貫通している。コイル導体２３とコイル導体２４とは、スルーホール導体３２を通して、電気的に接続されている。コイル導体２３とコイル導体２４とは、図３に示されるように、インダクタＬ２を構成している。
【００３２】
積層型ＬＣフィルタアレイＦＡ１は、図２に示されるように、複数の内部電極４１，４２，４３，４４，４５，４６を備えている。内部電極４１，４２，４３，４４，４５，４６は、導電材（たとえば、Ａｇ又はＰｄなど）を含んでいる。内部電極４１，４２，４３，４４，４５，４６は、導電性材料（たとえば、Ａｇ粉末又はＰｄ粉末など）を含む導電性ペーストの焼結体として構成される。
【００３３】
内部電極４１，４２，４３，４４は、第一方向Ｄ１において同じ位置（層）に配置されている。内部電極４１，４２，４３，４４は、第一方向Ｄ１に直交する面内で、互いに離間している。内部電極４１は、第一方向Ｄ１から見て、第一側面１ｃと第三側面１ｅとで画成される角部寄りに配置されている。内部電極４２は、第一方向Ｄ１から見て、第二側面１ｄと第三側面１ｅとで画成される角部寄りに配置されている。内部電極４３は、第一方向Ｄ１から見て、第一側面１ｃと第四側面１ｆとで画成される角部寄りに配置されている。内部電極４４は、第一方向Ｄ１から見て、第二側面１ｄと第四側面１ｆとで画成される角部寄りに配置されている。
【００３４】
内部電極４１，４２，４３，４４と内部電極４５，４６とは、第一方向Ｄ１において異なる位置（層）に配置されている。内部電極４１，４２，４３，４４は、第一方向Ｄ１において内部電極４５と内部電極４６との間に位置している。内部電極４１，４２，４３，４４と内部電極４５とは、少なくとも一層の絶縁体層５を介して、第一方向Ｄ１で離間している。内部電極４１，４２，４３，４４と内部電極４６とは、少なくとも一層の絶縁体層５を介して、第一方向Ｄ１で離間している。内部電極４１，４２，４３，４４と内部電極４５，４６とは、第一方向Ｄ１で対向している。
【００３５】
内部電極４１と内部電極４５，４６とは、図３に示されるように、コンデンサＣ１を構成している。内部電極４２と内部電極４５，４６とは、図３に示されるように、コンデンサＣ２を構成している。内部電極４３と内部電極４５，４６とは、図３に示されるように、コンデンサＣ３を構成している。内部電極４４と内部電極４５，４６とは、図３に示されるように、コンデンサＣ４を構成している。
【００３６】
コイル導体２１の他端と内部電極４１と端子電極１１とは、第一方向Ｄ１から見て、互いに重なり合うように位置している。コイル導体２１の他端と内部電極４１との間には、二つのパッド導体５１が、第一方向Ｄ１から見て、コイル導体２１の他端と内部電極４１とに重なり合うように配置されている。内部電極４１と端子電極１１との間には、二つのパッド導体５２が、第一方向Ｄ１から見て、内部電極４１と端子電極１１とに重なり合うように配置されている。二つのパッド導体５１は、絶縁体層３を介して、第一方向Ｄ１で離間している。二つのパッド導体５２は、絶縁体層３を介して、第一方向Ｄ１で離間している。
【００３７】
コイル導体２２の他端と内部電極４２と端子電極１２とは、第一方向Ｄ１から見て、互いに重なり合うように位置している。コイル導体２２の他端と内部電極４２との間には、三つのパッド導体５３が、第一方向Ｄ１から見て、コイル導体２２の他端と内部電極４２とに重なり合うように配置されている。内部電極４２と端子電極１２との間には、二つのパッド導体５４が、第一方向Ｄ１から見て、内部電極４２と端子電極１２とに重なり合うように配置されている。三つのパッド導体５３は、絶縁体層３を介して、第一方向Ｄ１で離間している。二つのパッド導体５４は、絶縁体層３を介して、第一方向Ｄ１で離間している。
【００３８】
コイル導体２３の他端と内部電極４３と端子電極１３とは、第一方向Ｄ１から見て、互いに重なり合うように位置している。コイル導体２３の他端と内部電極４３との間には、二つのパッド導体５５が、第一方向Ｄ１から見て、コイル導体２３の他端と内部電極４３とに重なり合うように配置されている。内部電極４３と端子電極１３との間には、二つのパッド導体５６が、第一方向Ｄ１から見て、内部電極４３と端子電極１３とに重なり合うように配置されている。二つのパッド導体５５は、絶縁体層３を介して、第一方向Ｄ１で離間している。二つのパッド導体５６は、絶縁体層３を介して、第一方向Ｄ１で離間している。
【００３９】
コイル導体２４の他端と内部電極４４と端子電極１４とは、第一方向Ｄ１から見て、互いに重なり合うように位置している。コイル導体２４の他端と内部電極４４との間には、三つのパッド導体５７が、第一方向Ｄ１から見て、コイル導体２４の他端と内部電極４４とに重なり合うように配置されている。内部電極４４と端子電極１４との間には、二つのパッド導体５８が、第一方向Ｄ１から見て、内部電極４４と端子電極１４とに重なり合うように配置されている。三つのパッド導体５７は、絶縁体層３を介して、第一方向Ｄ１で離間している。二つのパッド導体５８は、絶縁体層３を介して、第一方向Ｄ１で離間している。
【００４０】
パッド導体５１，５２は、第一方向Ｄ１から見て、第一側面１ｃと第三側面１ｅとで画成される角部寄りに配置されている。パッド導体５３，５４は、第一方向Ｄ１から見て、第二側面１ｄと第三側面１ｅとで画成される角部寄りに配置されている。パッド導体５５，５６は、第一方向Ｄ１から見て、第一側面１ｃと第四側面１ｆとで画成される角部寄りに配置されている。パッド導体５７，５８は、第一方向Ｄ１から見て、第二側面１ｄと第四側面１ｆとで画成される角部寄りに配置されている。
【００４１】
内部電極４５と同じ層に位置しているパッド導体５１，５３，５５，５７は、内部電極４５と離間している。内部電極４６と同じ層に位置しているパッド導体５２，５４，５６，５８は、内部電極４６と離間している。
【００４２】
内部電極４５と内部電極４６との間には、パッド導体５９が、第一方向Ｄ１から見て、内部電極４５と内部電極４６とに重なり合うように配置されている。パッド導体５９は、パッド導体５９と同じ層に位置している内部電極４１，４２，４３，４４と離間している。パッド導体５９は、絶縁体層３を介して、第一方向Ｄ１で内部電極４５と離間している。パッド導体５９は、絶縁体層３を介して、第一方向Ｄ１で内部電極４６と離間している。
【００４３】
内部電極４６と端子電極１５との間には、パッド導体６０が、第一方向Ｄ１から見て、内部電極４６と端子電極１５とに重なり合うように配置されている。パッド導体６０は、絶縁体層３を介して、第一方向Ｄ１で内部電極４６と離間している。パッド導体６０は、絶縁体層３を介して、第一方向Ｄ１で端子電極１５と離間している。
【００４４】
コイル導体２１の他端と内部電極４１と端子電極１１とは、パッド導体５１，５２とスルーホール導体３３とを通して、電気的に接続されている。これにより、インダクタＬ１とコンデンサＣ１とが互いに接続されると共に、インダクタＬ１とコンデンサＣ１とが端子電極１１と接続される。スルーホール導体３３は、コイル導体２１と端子電極１１との間に位置する絶縁体層３，５を貫通している。
【００４５】
コイル導体２２の他端と内部電極４２と端子電極１２とは、パッド導体５３，５４とスルーホール導体３４とを通して、電気的に接続されている。これにより、インダクタＬ１とコンデンサＣ２とが互いに接続されると共に、インダクタＬ１とコンデンサＣ２とが端子電極１２と接続される。スルーホール導体３４は、コイル導体２２と端子電極１２との間に位置する絶縁体層３，５を貫通している。
【００４６】
コイル導体２３の他端と内部電極４３と端子電極１３とは、パッド導体５５，５６とスルーホール導体３５とを通して、電気的に接続されている。これにより、インダクタＬ２とコンデンサＣ３とが互いに接続されると共に、インダクタＬ２とコンデンサＣ３とが端子電極１３と接続される。スルーホール導体３５は、コイル導体２３と端子電極１３との間に位置する絶縁体層３，５を貫通している。
【００４７】
コイル導体２４の他端と内部電極４４と端子電極１４とは、パッド導体５７，５８とスルーホール導体３６とを通して、電気的に接続されている。これにより、インダクタＬ２とコンデンサＣ４とが互いに接続されると共に、インダクタＬ２とコンデンサＣ４とが端子電極１３と接続される。スルーホール導体３６は、コイル導体２４と端子電極１４との間に位置する絶縁体層３，５を貫通している。
【００４８】
内部電極４５，４６と端子電極１５とは、パッド導体５９，６０とスルーホール導体３７とを通して、電気的に接続されている。これにより、各コンデンサＣ１，Ｃ２，Ｃ３，Ｃ４が端子電極１５と接続される。スルーホール導体３７は、内部電極４５と端子電極１５との間に位置する絶縁体層５を貫通している。
【００４９】
パッド導体５１，５２，５３，５４，５５，５６，５７，５８，５９，６０及びスルーホール導体３３，３４，３５，３６，３７は、導電材（たとえば、Ａｇ又はＰｄなど）を含んでいる。パッド導体５１，５２，５３，５４，５５，５６，５７，５８，５９，６０及びスルーホール導体３３，３４，３５，３６，３７は、導電性材料（たとえば、Ａｇ粉末又はＰｄ粉末など）を含む導電性ペーストの焼結体として構成される。スルーホール導体３３，３４，３５，３６，３７は、対応する絶縁体層３，５を構成することとなるセラミックグリーンシートに形成された貫通孔に充填された導電性ペーストが焼結することにより形成される。
【００５０】
積層型ＬＣフィルタアレイＦＡ１は、図３にも示されるように、インダクタＬ１とコンデンサＣ１，Ｃ２とを含んでいるフィルタＦ１と、インダクタＬ２とコンデンサＣ３，Ｃ４とを含んでいるフィルタＦ２と、を備えている。各フィルタＦ１，Ｆ２は、π型フィルタを構成している。すなわち、積層型ＬＣフィルタアレイＦＡ１は、二つのπ型フィルタを含んでいる。
【００５１】
以上のように、第一実施形態では、端子電極１１，１２，１３，１４が、第一方向Ｄ１から見て、素体１の異なる角部に配置されていると共に、端子電極１５が、第一主面１ａの中央に配置されている。このため、端子電極１１，１２，１３，１４と端子電極１５との距離が等価である。この結果、積層型ＬＣフィルタアレイＦＡ１では、フィルタＦ１とフィルタＦ２とで端子電極１５の共通化が図られていると共に、各コンデンサＣ１，Ｃ２，Ｃ３，Ｃ４の寄生インダクタンスが等価である。
【００５２】
第一実施形態では、端子電極１１，１２，１３，１４，１５は、第一主面１ａのみに配置されている。すなわち、各端子電極１１，１２，１３，１４，１５は、第一主面１ａに配置されている電極部分のみを有している。端子電極１５（電極部分）の面積は、各端子電極１１，１２，１３，１４（電極部分）の面積よりも大きい。このため、積層型ＬＣフィルタアレイＦＡ１では、端子電極１５の面積が各端子電極１１，１２，１３，１４の面積以下である積層型ＬＣフィルタアレイに比して、実装強度が向上すると共に、実装される際の姿勢が安定する。
【００５３】
端子電極１１，１２，１３，１４，１５は、上述したように、第一主面１ａのみに配置されている。端子電極１１，１２，１３，１４，１５は、対応するインダクタＬ１，Ｌ２及び対応するコンデンサＣ１，Ｃ２，Ｃ３，Ｃ４とスルーホール導体３３，３４，３５，３６を介して接続されている。端子電極１１，１２，１３，１４，１５が、第一主面１ａのみに配置されているので、端子電極１１，１２，１３，１４，１５の形成が容易である。
【００５４】
第一実施形態では、上述したように、各フィルタＦ１，Ｆ２がπ型フィルタを構成している。このため、積層型ＬＣフィルタアレイＦＡ１では、π型のＬＣフィルタアレイが実現されている。
【００５５】
次に、図４を参照して、第一実施形態の変形例に係る積層型ＬＣフィルタアレイＦＡ２の構成を説明する。図４は、本変形例に係る積層型ＬＣフィルタアレイを示す斜視図である。
【００５６】
積層型ＬＣフィルタアレイＦＡ２は、素体１と、素体１の外表面に配置されている端子電極１１，１２，１３，１４，１５と、を備えている。積層型ＬＣフィルタアレイＦＡ２は、端子電極１１，１２，１３，１４の形状に関し、積層型ＬＣフィルタアレイＦＡ１と相違する。図示は省略するが、積層型ＬＣフィルタアレイＦＡ２は、積層型ＬＣフィルタアレイＦＡ１と同じく、複数のコイル導体２１，２２，２３，２４及び複数の内部電極４１，４２，４３，４４，４５，４６（いずれも、図２参照）を備えている。
【００５７】
端子電極１１は、第一主面１ａ上に配置されている電極部分１１ａと、第一側面１ｃ上に配置されている電極部分１１ｃと、第三側面１ｅ上に配置されている電極部分１１ｄと、を有している。端子電極１１は、第一主面１ａと第一側面１ｃと第三側面１ｅとで画成される角部に配置されている。電極部分１１ａ，１１ｃ，１１ｄは、一体に形成されている。
【００５８】
端子電極１２は、第一主面１ａ上に配置されている電極部分１２ａと、第二側面１ｄ上に配置されている電極部分１２ｃと、第三側面１ｅ上に配置されている電極部分１２ｄと、を有している。端子電極１２は、第一主面１ａと第二側面１ｄと第三側面１ｅとで画成される角部に配置されている。電極部分１２ａ，１２ｃ，１２ｄは、一体に形成されている。
【００５９】
端子電極１３は、第一主面１ａ上に配置されている電極部分１３ａと、第一側面１ｃ上に配置されている電極部分１３ｃと、第四側面１ｆ上に配置されている電極部分１３ｄと、を有している。端子電極１３は、第一主面１ａと第一側面１ｃと第四側面１ｆとで画成される角部に配置されている。電極部分１３ａ，１３ｃ，１３ｄは、一体に形成されている。
【００６０】
端子電極１４は、第一主面１ａ上に配置されている電極部分１４ａと、第二側面１ｄ上に配置されている電極部分１４ｃと、第四側面１ｆ上に配置されている電極部分１４ｄと、を有している。端子電極１４は、第一主面１ａと第二側面１ｄと第四側面１ｆとで画成される角部に配置されている。電極部分１４ａ，１４ｂ，１４ｃ，１４ｄは、一体に形成されている。
【００６１】
積層型ＬＣフィルタアレイＦＡ２でも、電極部分１１ａ，１２ａ，１３ａ，１４ａは、第一方向Ｄ１から見て、第一主面１ａの異なる角部、すなわち、素体１の異なる角部に配置されている。端子電極１５が、第一主面１ａの中央に配置されている。端子電極１５は、第一方向Ｄ１から見て、電極部分１１ａ，１２ａ，１３ａ，１４ａよりも内側に位置している。
【００６２】
積層型ＬＣフィルタアレイＦＡ２では、積層型ＬＣフィルタアレイＦＡ１と同じく、フィルタＦ１とフィルタＦ２とで端子電極１５の共通化が図られていると共に、各コンデンサＣ１，Ｃ２，Ｃ３，Ｃ４の寄生インダクタンスが等価である。端子電極１５の面積は、各電極部分１１ａ，１２ａ，１３ａ，１４ａの面積よりも大きい。したがって、積層型ＬＣフィルタアレイＦＡ２の実装強度が向上すると共に、積層型ＬＣフィルタアレイＦＡ２が実装される際の姿勢が安定する。
【００６３】
（第二実施形態）
図５〜図７を参照して、第二実施形態に係る積層型ＬＣフィルタアレイＦＡ３の構成を説明する。図５は、第二実施形態に係る積層型ＬＣフィルタアレイを示す斜視図である。図６は、第二実施形態に係る積層型ＬＣフィルタアレイの構成を示す分解斜視図である。図７は、第二実施形態に係る積層型ＬＣフィルタアレイの等価回路を示す図である。
【００６４】
積層型ＬＣフィルタアレイＦＡ３は、図５に示されるように、素体１と、素体１の外表面に配置されている端子電極１１，１２，１３，１４，１５と、を備えている。
【００６５】
端子電極１１，１３は、第一側面１ｃ側に配置されている。端子電極１１は、第一側面１ｃと第三側面１ｅとで画成される角部に配置されている。端子電極１３は、第一側面１ｃと第四側面１ｆとで画成される角部に配置されている。端子電極１１，１３は、第一主面１ａ上に配置されている電極部分１１ａ，１３ａと、第二主面１ｂ上に配置されている電極部分１１ｂ，１３ｂと、第一側面１ｃ上に配置されている電極部分１１ｃ，１３ｃと、を有している。電極部分１１ａ，１１ｂ，１１ｃは一体に形成されており、電極部分１３ａ，１３ｂ，１３ｃは一体に形成されている。
【００６６】
端子電極１２，１４は、第二側面１ｄ側に配置されている。端子電極１２は、第二側面１ｄと第三側面１ｅとで画成される角部に配置されている。端子電極１４は、第二側面１ｄと第四側面１ｆとで画成される角部に配置されている。端子電極１２，１４は、第一主面１ａ上に配置されている電極部分１２ａ，１４ａと、第二主面１ｂ上に配置されている電極部分１２ｂ，１４ｂと、第二側面１ｄ上に配置されている電極部分１２ｃ，１４ｃと、を有している。電極部分１２ａ，１２ｂ，１２ｃは一体に形成されており、電極部分１４ａ，１４ｂ，１４ｃは一体に形成されている。
【００６７】
端子電極１１，１２，１３，１４の電極部分１１ａ，１２ａ，１３ａ，１４ａは、第一方向Ｄ１から見て、第一主面１ａの異なる角部、すなわち、素体１の異なる角部に配置されている。端子電極１５は、第一方向Ｄ１から見て、電極部分１１ａ，１２ａ，１３ａ，１４ａよりも内側に位置している。端子電極１５の面積は、各電極部分１１ａ，１２ａ，１３ａ，１４ａの面積よりも大きい。
【００６８】
積層型ＬＣフィルタアレイＦＡ３は、図６に示されるように、複数のコイル導体２１，２２，２３，２４と、複数の内部電極４２，４４，４５，４６と、を備えている。内部電極４２は、第三側面１ｅ寄りに位置し、内部電極４４は、第四側面１ｆ寄りに位置している。
【００６９】
コイル導体２１は、他端に接続部２１ａを有している。接続部２１ａは、第一側面１ｃに露出している。接続部２１ａ、すなわちコイル導体２１は、第一側面１ｃに露出している端で端子電極１１（電極部分１１ｃ）に接続されている。コイル導体２２は、他端に接続部２２ａを有している。接続部２２ａは、第二側面１ｄに露出している。接続部２２ａ、すなわちコイル導体２２は、第二側面１ｄに露出している端で端子電極１２（電極部分１２ｃ）に接続されている。
【００７０】
コイル導体２３は、他端に接続部２３ａを有している。接続部２３ａは、第一側面１ｃに露出している。接続部２３ａ、すなわちコイル導体２３は、第一側面１ｃに露出している端で端子電極１３（電極部分１３ｃ）に接続されている。コイル導体２４は、他端に接続部２４ａを有している。接続部２４ａは、第二側面１ｄに露出している。接続部２４ａ、すなわちコイル導体２４は、第二側面１ｄに露出している端で端子電極１４（電極部分１４ｃ）に接続されている。
【００７１】
内部電極４２は、内部電極４５，４６と対向する主電極部４２ａと、接続部４２ｂと、を有している。接続部４２ｂは、第二側面１ｄに露出している。接続部４２ｂは、第二側面１ｄに露出している端で端子電極１２（電極部分１２ｃ）に接続されている。接続部４２ｂは、主電極部４２ａと端子電極１２とを接続している。主電極部４２ａと接続部４２ｂとは、一体に形成されている。
【００７２】
内部電極４４は、内部電極４５，４６と対向する主電極部４４ａと、接続部４４ｂと、を有している。接続部４４ｂは、第二側面１ｄに露出している。接続部４４ｂは、第二側面１ｄに露出している端で端子電極１４（電極部分１４ｃ）に接続されている。接続部４４ｂは、主電極部４４ａと端子電極１４とを接続している。主電極部４４ａと接続部４４ｂとは、一体に形成されている。
【００７３】
積層型ＬＣフィルタアレイＦＡ３は、図７にも示されるように、インダクタＬ１とコンデンサＣ２とを含んでいるフィルタＦ３と、インダクタＬ２とコンデンサＣ４とを含んでいるフィルタＦ４と、を備えている。各フィルタＦ３，Ｆ４は、Ｌ型フィルタを構成している。すなわち、積層型ＬＣフィルタアレイＦＡ３は、二つのＬ型フィルタを含んでいる。
【００７４】
以上のように、第二実施形態では、端子電極１１，１２，１３，１４（電極部分１１ａ，１２ａ，１３ａ，１４ａ）が、第一方向Ｄ１から見て、素体１の異なる角部に配置されていると共に、端子電極１５が、第一主面１ａの中央に配置されている。このため、積層型ＬＣフィルタアレイＦＡ３でも、積層型ＬＣフィルタアレイＦＡ１と同様に、端子電極１１，１２，１３，１４と端子電極１５との距離が等価である。したがって、フィルタＦ１とフィルタＦ２とで端子電極１５の共通化が図られていると共に、各コンデンサＣ１，Ｃ２，Ｃ３，Ｃ４の寄生インダクタンスが等価である。
【００７５】
第二実施形態では、端子電極１１，１２，１３，１４，１５は、第一主面１ａに配置されている電極部分１１ａ，１２ａ，１３ａ，１４ａを有している。端子電極１５（電極部分）の面積は、各電極部分１１ａ，１２ａ，１３ａ，１４ａの面積よりも大きい。このため、積層型ＬＣフィルタアレイＦＡ３の実装強度が向上すると共に、積層型ＬＣフィルタアレイＦＡ３が実装される際の姿勢が安定する。
【００７６】
第二実施形態では、上述したように、各フィルタＦ１，Ｆ２がＬ型フィルタを構成している。このため、積層型ＬＣフィルタアレイＦＡ３では、Ｌ型のＬＣフィルタアレイが実現されている。
【００７７】
次に、図８を参照して、第二実施形態の変形例に係る積層型ＬＣフィルタアレイの構成を説明する。図８は、本変形例に係る積層型ＬＣフィルタアレイの構成を示す分解斜視図である。
【００７８】
本変形例に係る積層型ＬＣフィルタアレイは、図示を省略するが、第二実施形態に係る積層型ＬＣフィルタアレイＦＡ３と同じく、素体１（図３参照）と、素体１の外表面に配置されている端子電極１１，１２，１３，１４，１５（図４参照）と、を備えている。
【００７９】
本変形例に係る積層型ＬＣフィルタアレイは、図８に示されるように、複数のコイル導体２１，２２，２３，２４と、複数の内部電極４１，４２，４３，４４，４５，４６と、を備えている。内部電極４２，４４は、積層型ＬＣフィルタアレイＦＡ３と同じく、主電極部４２ａ，４４ａと、接続部４２ｂ，４４ｂと、を有している。
【００８０】
内部電極４１は、内部電極４５，４６と対向する主電極部４１ａと、接続部４１ｂと、を有している。接続部４１ｂは、第一側面１ｃに露出している。接続部４１ｂは、第一側面１ｃに露出している端で端子電極１１（電極部分１１ｃ）に接続されている。接続部４１ｂは、主電極部４１ａと端子電極１１とを接続している。主電極部４１ａと接続部４１ｂとは、一体に形成されている。
【００８１】
内部電極４３は、内部電極４５，４６と対向する主電極部４３ａと、接続部４３ｂと、を有している。接続部４３ｂは、第一側面１ｃに露出している。接続部４３ｂは、第一側面１ｃに露出している端で端子電極１３（電極部分１３ｃ）に接続されている。接続部４３ｂは、主電極部４３ａと端子電極１３とを接続している。主電極部４３ａと接続部４３ｂとは、一体に形成されている。
【００８２】
本変形例に係る積層型ＬＣフィルタアレイは、積層型ＬＣフィルタアレイＦＡ１と同じく、インダクタＬ１とコンデンサＣ１，Ｃ２とを含んでいるフィルタと、インダクタＬ２とコンデンサＣ３，Ｃ４とを含んでいるフィルタと、を備えている。各フィルタは、π型フィルタを構成している。すなわち、本変形例に係る積層型ＬＣフィルタアレイは、二つのπ型フィルタを含んでいる。
【００８３】
次に、図９を参照して、第二実施形態の別の変形例に係る積層型ＬＣフィルタアレイＦＡ４の構成を説明する。図９は、本変形例に係る積層型ＬＣフィルタアレイを示す斜視図である。
【００８４】
積層型ＬＣフィルタアレイＦＡ３は、素体１と、素体１の外表面に配置されている端子電極１１，１２，１３，１４，１５と、を備えている。積層型ＬＣフィルタアレイＦＡ４は、端子電極１１，１２，１３，１４の形状に関し、積層型ＬＣフィルタアレイＦＡ３及び図８に示された変形例に係る積層型ＬＣフィルタアレイと相違する。
【００８５】
端子電極１１は、第一主面１ａ上に配置されている電極部分１１ａと、第二主面１ｂ上に配置されている電極部分１１ｂと、第一側面１ｃ上に配置されている電極部分１１ｃと、第三側面１ｅ上に配置されている電極部分１１ｄと、を有している。端子電極１１は、第一側面１ｃと第三側面１ｅとで画成される角部に配置されている。電極部分１１ａ，１１ｂ，１１ｃ，１１ｄは、一体に形成されている。
【００８６】
端子電極１２は、第一主面１ａ上に配置されている電極部分１２ａと、第二主面１ｂ上に配置されている電極部分１２ｂと、第二側面１ｄ上に配置されている電極部分１２ｃと、第三側面１ｅ上に配置されている電極部分１２ｄと、を有している。端子電極１２は、第二側面１ｄと第三側面１ｅとで画成される角部に配置されている。電極部分１２ａ，１２ｂ，１２ｃ，１２ｄは、一体に形成されている。
【００８７】
端子電極１３は、第一主面１ａ上に配置されている電極部分１３ａと、第二主面１ｂ上に配置されている電極部分１３ｂと、第一側面１ｃ上に配置されている電極部分１３ｃと、第四側面１ｆ上に配置されている電極部分１３ｄと、を有している。端子電極１３は、第一側面１ｃと第四側面１ｆとで画成される角部に配置されている。電極部分１３ａ，１３ｂ，１３ｃ，１３ｄは、一体に形成されている。
【００８８】
端子電極１４は、第一主面１ａ上に配置されている電極部分１４ａと、第二主面１ｂ上に配置されている電極部分１４ｂと、第二側面１ｄ上に配置されている電極部分１４ｃと、第四側面１ｆ上に配置されている電極部分１４ｄと、を有している。端子電極１４は、第二側面１ｄと第四側面１ｆとで画成される角部に配置されている。電極部分１４ａ，１４ｂ，１４ｃ，１４ｄは、一体に形成されている。
【００８９】
積層型ＬＣフィルタアレイＦＡ４でも、電極部分１１ａ，１２ａ，１３ａ，１４ａは、第一方向Ｄ１から見て、第一主面１ａの異なる角部、すなわち、素体１の異なる角部に配置されている。端子電極１５は、第一方向Ｄ１から見て、電極部分１１ａ，１２ａ，１３ａ，１４ａよりも内側に位置している。端子電極１５の面積は、各電極部分１１ａ，１２ａ，１３ａ，１４ａの面積よりも大きい。
【００９０】
図８及び図９に示された各変形例でも、フィルタＦ１とフィルタＦ２とで端子電極１５の共通化が図られていると共に、各コンデンサＣ１，Ｃ２，Ｃ３，Ｃ４の寄生インダクタンスが等価である。各変形例において、積層型ＬＣフィルタアレイの実装強度が向上すると共に、積層型ＬＣフィルタアレイが実装される際の姿勢が安定する。
【００９１】
以上、本発明の実施形態について説明してきたが、本発明は必ずしも上述した実施形態に限定されるものではなく、その要旨を逸脱しない範囲で様々な変更が可能である。
【００９２】
たとえば、各インダクタＬ１，Ｌ２を構成するコイル導体２１，２２，２３，２４の数は、「２」に限られることなく、「３」以上でもよい。たとえば、各コンデンサＣ１，Ｃ２，Ｃ３，Ｃ４を構成する内部電極４１，４２，４３，４４，４５，４６の数（積層数）は、「３」に限られることなく、「４」以上でもよい。
【００９３】
図１０〜図１２に示されるように、積層型ＬＣフィルタアレイＦＡ２，ＦＡ３，ＦＡ４は、絶縁体ＩＳを更に備えていてもよい。絶縁体ＩＳは、電気絶縁性の材料（たとえば、絶縁性樹脂又は絶縁性ガラスなど）からなる。図１０〜図１２は、積層型ＬＣフィルタアレイの変形例を示す斜視図である。
【００９４】
図１０に示された積層型ＬＣフィルタアレイＦＡ２では、絶縁体ＩＳは、第一側面１ｃ上に配置されている電極部分１１ｃ，１３ｃ、第二側面１ｄ上に配置されている電極部分１２ｃ，１４ｃ、第三側面１ｅ上に配置されている電極部分１１ｄ，１２ｄ、及び第四側面１ｆ上に配置されている電極部分１３ｄ，１４ｄを覆っている。絶縁体ＩＳは、第一側面１ｃにおける電極部分１１ｃ，１３ｃから露出している領域、第二側面１ｄにおける電極部分１２ｃ，１４ｃから露出している領域、第三側面１ｅにおける電極部分１１ｄ，１２ｄから露出している領域、及び第四側面１ｆにおける電極部分１３ｄ，１４ｄから露出している領域も覆っている。
【００９５】
第一主面１ａ上に配置されている電極部分１１ａ，１２ａ，１３ａ，１４ａ及び端子電極１５は、絶縁体ＩＳから露出している。第一主面１ａにおける電極部分１１ａ，１２ａ，１３ａ，１４ａ及び端子電極１５から露出している領域は、絶縁体ＩＳから露出している。第二主面１ｂも、絶縁体ＩＳから露出している。
【００９６】
図１１に示された積層型ＬＣフィルタアレイＦＡ３では、絶縁体ＩＳは、第一側面１ｃ上に配置されている電極部分１１ｃ，１３ｃ、及び、第二側面１ｄ上に配置されている電極部分１２ｃ，１４ｃを覆っている。絶縁体ＩＳは、第一側面１ｃにおける電極部分１１ｃ，１３ｃから露出している領域、第二側面１ｄにおける電極部分１２ｃ，１４ｃから露出している領域、第三側面１ｅ、及び第四側面１ｆも覆っている。第一主面１ａ上に配置されている電極部分１１ａ，１２ａ，１３ａ，１４ａ及び端子電極１５は、絶縁体ＩＳから露出している。
【００９７】
第二主面１ｂ上に配置されている電極部分１１ｂ，１２ｂ，１３ｂ，１４ｂも、絶縁体ＩＳから露出している。第一主面１ａにおける電極部分１１ａ，１２ａ，１３ａ，１４ａ及び端子電極１５から露出している領域、及び、第二主面１ｂにおける電極部分１１ｂ，１２ｂ，１３ｂ，１４ｂから露出している領域も、絶縁体ＩＳから露出している。
【００９８】
図１２に示された積層型ＬＣフィルタアレイＦＡ４では、絶縁体ＩＳは、第一側面１ｃ上に配置されている電極部分１１ｃ，１３ｃ、第二側面１ｄ上に配置されている電極部分１２ｃ，１４ｃ、第三側面１ｅ上に配置されている電極部分１１ｄ，１２ｄ、及び第四側面１ｆ上に配置されている電極部分１３ｄ，１４ｄを覆っている。絶縁体ＩＳは、第一側面１ｃにおける電極部分１１ｃ，１３ｃから露出している領域、第二側面１ｄにおける電極部分１２ｃ，１４ｃから露出している領域、第三側面１ｅにおける電極部分１１ｄ，１２ｄから露出している領域、及び第四側面１ｆにおける電極部分１３ｄ，１４ｄから露出している領域も覆っている。
【００９９】
第一主面１ａ上に配置されている電極部分１１ａ，１２ａ，１３ａ，１４ａ及び端子電極１５、並びに、第二主面１ｂ上に配置されている電極部分１１ｂ，１２ｂ，１３ｂ，１４ｂも、絶縁体ＩＳから露出している。第一主面１ａにおける電極部分１１ａ，１２ａ，１３ａ，１４ａ及び端子電極１５から露出している領域、並びに、第二主面１ｂにおける電極部分１１ｂ，１２ｂ，１３ｂ，１４ｂから露出している領域も、絶縁体ＩＳから露出している。
【０１００】
図１０〜図１２に示された積層型ＬＣフィルタアレイＦＡ２，ＦＡ３，ＦＡ４がはんだ実装される際に、素体１の側面１ｃ，１ｄ，１ｅ，１ｆ側にはんだフィレットが形成され難い。このため、積層型ＬＣフィルタアレイＦＡ２，ＦＡ３，ＦＡ４は狭隣接高密度実装が可能となる。
【符号の説明】
【０１０１】
１…素体、１ａ…第一主面、１ｂ…第二主面、３，５…絶縁体層、１１，１２，１３，１４，１５…端子電極、１１ａ，１１ｂ，１１ｃ，１１ｄ，１２ａ，１２ｂ，１２ｃ，１２ｄ，１３ａ，１３ｂ，１３ｃ，１３ｄ，１４ａ，１４ｂ，１４ｃ，１４ｄ…電極部分、３３，３４，３５，３６，３７…スルーホール導体、Ｃ１，Ｃ２，Ｃ３，Ｃ４…コンデンサ、Ｆ１，Ｆ２，Ｆ３，Ｆ４…フィルタ、ＦＡ１，ＦＡ２，ＦＡ３，ＦＡ４…積層型ＬＣフィルタアレイ、ＩＳ…絶縁体、Ｌ１，Ｌ２…インダクタ。
【図１】
2018064204.tif 000003
【図２】
2018064204.tif 000004
【図３】
2018064204.tif 000005
【図４】
2018064204.tif 000006
【図５】
2018064204.tif 000007
【図６】
2018064204.tif 000008
【図７】
2018064204.tif 000009
【図８】
2018064204.tif 000010
【図９】
2018064204.tif 000011
【図１０】
2018064204.tif 000012
【図１１】
2018064204.tif 000013
【図１２】
2018064204.tif 000014